(57)【要約】【課題】  デジタル放送波のビットレート及び電界強度に基づいて、最良の画像を視聴者に提供することができる「デジタル放送受信表示装置及びその表示方法」を提供することである。【解決手段】  制御部１９は、ビデオデコーダ９から画像データのビットレートと、ＯＦＤＭ復調処理部３から電界強度を受信し、受信したビットレートと電界強度がそれぞれ所定値以上であれば、画像処理部１１に画像データの画像サイズを拡大処理するように指示する。この指示により、画像処理部１１は画像データの画像サイズを拡大処理して表示部２７に表示する。【選択図】  図６
2008166968.tif 000002
【特許請求の範囲】
【請求項１】
デジタル放送波を受信して画像を表示するデジタル放送受信表示装置において、
前記デジタル放送波を受信して第１画像データを生成する第１画像データ生成部と、
前記第１画像データのビットレートを検出するビットレート検出部と、
前記ビットレートに基づいて前記第１画像データの画像サイズを変更するサイズ変更部と、
前記サイズ変更された第１画像データを表示する表示部と、
を備えることを特徴とするデジタル放送表示装置。
【請求項２】
前記デジタル放送波の電界強度を検出する電界強度検出部を更に備え、
前記サイズ変更部は、前記ビットレートまたは前記電界強度に基づいて前記第１画像データの画像サイズを変更する、
ことを特徴とする請求項１記載のデジタル放送表示装置。
【請求項３】
前記サイズ変更部は、前記ビットレートまたは前記電界強度に基づいて前記第１画像データの画像サイズを前記表示部の表示サイズに合わせて変更する、
ことを特徴とする請求項１、２いずれか１つに記載のデジタル放送表示装置。
【請求項４】
前記サイズ変更部は、前記ビットレートまたは前記電界強度に基づいて前記第１画像データの画像サイズの変更倍率を可変する、
ことを特徴とする請求項１、２いずれか１つに記載のデジタル放送表示装置。
【請求項５】
前記第１画像データと異なる第２画像データを生成する第２画像データ生成部を更に備え、
前記サイズ変更部により前記第１画像データの画像サイズが変更されないとき、前記表示部は前記第１画像データと前記第２画像データとを合成した画像を表示する、
ことを特徴とする請求項１〜４いずれか１つに記載のデジタル放送表示装置。
【請求項６】
前記第２画像データ生成部は、地図画像を生成するナビゲーション装置である、
ことを特徴とする請求項５記載のデジタル放送表示装置。
【請求項７】
デジタル放送波を受信して画像を表示するデジタル放送受信表示方法において、
前記デジタル放送波を受信して第１画像データを生成する第１ステップ、
前記第１画像データのビットレートを検出する第２ステップ、
前記ビットレートに基づいて前記第１画像データの画像サイズを変更する第３ステップ、
前記変更された第１画像データを表示する第４ステップ、
を有することを特徴とするデジタル放送表示方法。
【請求項８】
前記デジタル放送波の電界強度を検出する第５ステップを更に備え、
前記第３ステップは、前記電界強度と前記ビットレートに基づいて前記第１画像データの画像サイズを変更する、
ことを特徴とする請求項７記載のデジタル放送表示方法。
【請求項９】
前記第３ステップは、前記ビットレートまたは前記電界強度に基づいて前記第１画像データの画像サイズを表示部の表示サイズに合わせて変更する、
ことを特徴とする請求項７、８いずれか１つに記載のデジタル放送表示方法。
【請求項１０】
前記第３ステップは、前記ビットレートまたは電界強度に応じて前記第１画像データの画像サイズの変更倍率を可変する、
ことを特徴とする請求項７、８いずれか１つに記載のデジタル放送表示方法。
【請求項１１】
前記第１画像データと異なる第２画像データを生成する第６ステップを更に備え、
前記第３ステップにより前記第１画像データの画像サイズが変更されないとき、前記第４ステップは前記第１画像データと前記第２画像データとを合成した画像を表示する、
ことを特徴とする請求項７〜１０いずれか１つに記載のデジタル放送表示方法。
【発明の詳細な説明】
【技術分野】
【０００１】
本発明は、デジタル放送波を受信して表示するデジタル放送受信表示装置及びその表示方法に関するものである。
【背景技術】
【０００２】
近年、地上波や衛星波を含む伝送路を介して、動画像、音声、文字等の情報をデジタルデータとして伝送するデジタル放送が普及してきており、例えば、車載用デジタル放送表示装置において、移動体向けデジタル放送（Ｈ．２６４方式）を受信して表示できるようになっている。
【０００３】
移動体向けデジタル放送は一般的に、画像サイズを３２０×２４０画素または３２０×１８０画素として放送されているが、近年、車載用デジタル放送受信表示装置の表示部は大画面化が進み、６４０×４８０画素等で構成されており、移動体向けデジタル放送の画像サイズより大きい場合がある。このような場合、車載用デジタル放送受信表示装置は、受信した移動体向けデジタル放送の画像サイズを表示装置の表示サイズに合わせ、拡大処理して表示するようにしている。
【０００４】
しかしながら、上記車載用デジタル放送受信表示装置は、受信環境によらず、受信した移動体向けデジタル放送の画像サイズを拡大処理していたため、受信電波の電界強度が小さい場合、画質が低下してしまい視聴者に不快感を与えていた。
【０００５】
この課題を解決するための従来技術として、移動体向けデジタル放送の受信電波の電界強度を検出し、検出された電界強度に応じて、移動体向けデジタル放送の画像サイズを拡大処理するデジタルデータ受信機がある（特許文献１参照）。
【特許文献１】特開２００６−７４４５６号公報
【発明の開示】
【発明が解決しようとする課題】
【０００６】
上記従来技術によれば、受信電波の電界強度が小さい場合における画質低下を防止することはできるものの、各放送局により、移動体向けデジタル放送の伝送レート（以下ビットレート）が異なるために、ビットレートが小さい放送を受信して表示する場合には、拡大処理による画質低下、例えばブロックノイズの発生等が生じていた。
【０００７】
従って、本発明の目的は、デジタル放送波のビットレート及び電界強度に基づいて、最良の画像を視聴者に提供することができるデジタル放送受信表示装置及びその表示方法を提供することである。
【課題を解決するための手段】
【０００８】
・デジタル放送受信表示装置
本発明は、デジタル放送波を受信して画像を表示するデジタル放送受信表示装置であり、前記デジタル放送波を受信して第１画像データを生成する第１画像データ生成部と、前記第１画像データのビットレートを検出するビットレート検出部と、前記ビットレートに基づいて前記第１画像データの画像サイズを変更するサイズ変更部と、前記サイズ変更された第１画像データを表示する表示部と、を備えている。
【０００９】
前記デジタル放送受信表示装置は、前記デジタル放送波の電界強度を検出する電界強度検出部を更に備え、前記サイズ変更部は、前記ビットレートまたは前記電界強度に基づいて前記第１画像データの画像サイズを変更する。
【００１０】
前記サイズ変更部は、前記ビットレートまたは前記電界強度に基づいて前記第１画像データの画像サイズを前記表示部のサイズに合わせて変更する。
【００１１】
前記サイズ変更部は、前記ビットレートまたは前記電界強度に基づいて前記第１画像データの画像サイズの変更倍率を可変する。
【００１２】
前記デジタル放送表示装置は、前記第１画像データと異なる第２画像データを生成する第２画像データ生成部を更に備え、前記サイズ変更部により前記第１画像データの画像サイズが変更されないとき、前記表示部は前記第１画像データと前記第２画像データとを合成した画像を表示する。なお、前記第２画像データ生成部は、地図画像を生成するナビゲーション装置である。
【００１３】
・デジタル放送表示方法
本発明は、デジタル放送波を受信して画像を表示するデジタル放送受信表示方法であり、前記デジタル放送波を受信して第１画像データを生成する第１ステップ、前記第１画像データのビットレートを検出する第２ステップ、前記ビットレートに基づいて前記第１画像データの画像サイズを変更する第３ステップ、前記変更された第１画像データを表示する第４ステップ、を有している。
【００１４】
前記デジタル放送表示受信方法は、前記デジタル放送波の電界強度を検出する第５ステップを更に備え、前記第３ステップは、前記電界強度と前記ビットレートに基づいて前記第１画像データの画像サイズを変更する。
【００１５】
前記第３ステップは、前記ビットレートまたは前記電界強度に基づいて前記第１画像データの画像サイズを表示部のサイズに合わせて変更する。
【００１６】
前記第３ステップは、前記ビットレートまたは電界強度に応じて前記第１画像データの画像サイズの変更倍率を可変する。
【００１７】
前記デジタル放送受信表示方法は、前記第１画像データと異なる第２画像データを生成する第６ステップを更に備え、前記第３ステップにより前記第１画像データの画像サイズが変更されないとき、前記第４ステップは前記第１画像データと前記第２画像データとを合成した画像を表示する。
【発明の効果】
【００１８】
本発明によれば、デジタル放送波を受信してデジタル放送画像のビットレートを検出し、検出されたビットレートに基づいてデジタル放送画像の画像サイズを変更して表示するよう構成したため、デジタル放送画像のビットレートが小さい場合において、画像サイズ変更による画質低下が生じないようにすることができる。
【００１９】
本発明によれば更に、デジタル放送波の電界強度を検出し、検出された電界強度とビットレートに基づいてデジタル放送画像の画像サイズを変更するよう構成したため、デジタル放送画像のビットレートが小さいまたは電界強度が小さい場合において、画像サイズ変更による画質低下が生じないようにすることができる。
【００２０】
本発明によれば、デジタル放送画像の画像サイズが変更されないとき、デジタル放送画像と地図画像とを合成した画像を表示するよう構成したため、デジタル放送画像の画像サイズが変更されないとき、運転者に有益な情報を同時に表示することができる。
【発明を実施するための最良の形態】
【００２１】
・実施例１
実施例１のデジタル放送受信表示装置は、デジタル放送波を受信した際に、デジタル放送画像のビットレートを検出し、検出されたビットレートに基づいてデジタル放送画像の画像サイズを変更して表示するようにしたものである。
【００２２】
・実施例１に係るデジタル放送表示装置の構成
図１は、実施例１に係るデジタル放送受信表示装置の構成図である。
ＲＦベースバンド処理部１は、アンテナ３１より移動体向けデジタル放送波を受信し、所望の帯域に存在するＯＦＤＭ（Orthogonal Frequency Division Multiplexing）信号を抽出して、内蔵するＡＧＣ(Auto Gain Control)回路（図示しない）によってレベル調整後、ＯＦＤＭ復調処理部３へ送る。なお、ＯＦＤＭ信号は、ＡＧＣ信号によって、所望のレベルに制御される。ＯＦＤＭ復調処理部３は、デジタル変調されたＯＦＤＭ信号の復調を行い、誤り訂正処理等を行って、ＴＳ（トランスポートストリーム）パケット信号をＴＳデコード処理部５へ送る。ＴＳデコード処理部５は、ＴＳパケット信号を、音声データ及び画像データに分離し、それぞれオーディオデコーダ７、ビデオデコーダ９に送る。ここで、画像データは、Ｈ．２６４方式（映像圧縮方式の１つ） によって符号化された符号化データであり、画像サイズは３２０×２４０画素であるものとする。また、ＴＳデコード処理部５は、同時にＴＳパケット信号からＥＰＧ（電子番組案内）データを取得する。ＥＰＧデータは、システムバス２９を介して記憶部１７へ送られて記憶される。そして、ＴＳデコード処理部５で分離された音声データは、オーディオデコーダ７で所定の復号処理が行われる。その後、復号された音声データは、遅延回路１３にて遅延処理が行われ、画像データと同期を取った後、Ｄ／Ａ変換器１５によってアナログ信号に変換されて、スピーカ２５から出力される。また、ＴＳデコード処理部５で分離された画像データは、ビデオデコーダ９で画像復号処理が行われた後、画像処理部１１に入力される。また、ビデオデコーダ９は、画像復号処理時に画像データのビットレートを検出し、検出したビットレート情報をシステムバス２９を介して制御部１９へ送る。次に、制御部１９は、ビデオデコーダ９から、画像データのビットレート情報を受信し、受信したビットレート情報に基づいて画像データを拡大処理するか否かを判定する。制御部１９により画像データを拡大処理すると判定された場合、制御部１９は画像処理部１１に画像データを拡大処理するように指示する。この指示により、画像処理部１１はビデオデコーダ９から入力される画像データの画像サイズ（３２０×２４０画素）を拡大処理して表示部２７に表示する。なお、本実施例では、表示部２７の表示サイズは６４０×４８０画素であるものとする。また、ナビゲーション装置２３は、自車位置周辺の地図画像を生成し、操作部２１から地図画像表示が選択されると、地図画像が画像処理部１１に送られて表示部２７に表示される。
【００２３】
・実施例１に係るデジタル放送受信表示装置の第１表示処理
実施例１に係るデジタル放送受信表示装置の第１表示処理は、画像データのビットレートが所定値以上であるか否かを判定し、この結果に基づいて画像データの拡大処理を変更するものである。
図２は、実施例１に係るデジタル放送表示装置の第１表示処理を示すフローチャートであり、図３は、実施例１に係るデジタル放送表示装置の第１表示処理による画像データ表示例である。
まず、ユーザより、操作部２１から移動体向けデジタル放送画像データの表示が指示されると、ＲＦベースバンド処理部１はアンテナ３１よりデジタル放送波を受信してＡＧＣレベル調整後、ＯＦＤＭ復調処理部３へ送る（ステップＳ１）。次に、ＯＦＤＭ復調処理部３は、デジタル変調されたＯＦＤＭ信号の復調を行い、ＴＳパケット信号をＴＳデコード処理部５へ送る。その後、ＴＳデコード処理部５は音声データと画像データ（画像サイズ：３２０×２４０画素）とに分離し、画像データはビデオデコーダ９にて画像復号処理が行われた後、画像処理部１１に入力されると共に、画像データのビットレートを検出して制御部１９に送る（ステップＳ３）。そして、制御部１９は、画像データのビットレートが所定値（例えば２００ｋｂｐｓ）以上であるか判定する（ステップＳ５）。ステップＳ５において、画像データのビットレートが所定値未満であれば、制御部１９はナビゲーション装置２３に自車位置周辺の地図画像を生成して画像処理部１１に入力するように指示する。この指示により、ナビゲーション装置２３は自車位置周辺の地図画像ｂ１（画像サイズ：６４０×４８０画素）を生成して画像処理部１１に入力する。そして、画像処理部１１はビデオデコーダ９から入力される画像データａ１（画像サイズ：３２０×２４０画素）をナビゲーション装置２３から入力される自車位置周辺の地図画像ｂ１（画像サイズ：６４０×４８０画素）に重畳した合成画像（図３（Ａ））を生成し（ステップＳ７）、表示部２７（表示サイズ：６４０×４８０画素）に表示する（ステップＳ９）。一方、ステップＳ５において、画像データのビットレートが所定値以上であれば、制御部１９は画像処理部１１に画像データａ１の画像サイズ（３２０×２４０画素）を表示部２７の表示サイズ（６４０×４８０画素）に拡大処理するように指示する。この指示により、画像処理部１１は画像データａ１の画像サイズを表示部２７の表示サイズに合わせて拡大処理して画像データａ２（図３（Ｂ））を生成する（ステップＳ１１）。そして、画像処理部１１は生成した画像データａ２を表示部２７に表示する（ステップＳ１３）。なお、音声データは画像データと同期してスピーカ２５に出力される。
上記処理により、デジタル放送画像のビットレートが小さい場合、画像サイズ変更による画質低下が生じないようにすることができる。
【００２４】
・実施例１に係るデジタル放送受信表示装置の第２表示処理
実施例１に係るデジタル放送表示装置の第２表示処理は、画像データのビットレートを「ビットレート小」、「ビットレート中」、「ビットレート大」の３段階に分け、３段階に応じて画像データの拡大処理を変更するものである。なお、「ビットレート小」は画像データのビットレートが１５０ｋｂｐｓ未満、「ビットレート中」は画像データのビットレートが１５０ｋｂｐｓ以上３００ｋｂｐｓ未満、「ビットレート大」は３００ｋｂｐｓ以上と予め設定されている。但し、この設定値は適宜ユーザにより変更可能である。
図４は、実施例１に係るデジタル放送受信表示装置の第２表示処理を示すフローチャートであり、図５は、実施例１に係るデジタル放送表示装置の第２表示処理による画像データ表示例である。
まず、デジタル放送表示装置は、上記第１表示処理のステップＳ１〜Ｓ３（図２）の処理を行い、デジタル放送波を音声データと画像データａ３とに分離して、画像データａ３のビットレートを検出する（ステップＳ２１）。そして、制御部１９は、画像データのビットレートが「ビットレート小」、「ビットレート中」、「ビットレート大」のいずれかをあるか判定する（ステップＳ２３）。ステップＳ２３において、画像データのビットレートが「ビットレート小」（画像データのビットレートが１５０ｋｂｐｓ未満であることと同等）と判定されれば、制御部１９はナビゲーション装置２３に自車位置周辺の地図画像を生成して画像処理部１１に入力するように指示する。この指示により、ナビゲーション装置２３は自車位置周辺の地図画像ｂ２（画像サイズ：６４０×４８０画素）を生成して画像処理部１１に入力する。そして、画像処理部１１はビデオデコーダ９から入力される画像データａ３（画像サイズ：３２０×２４０画素）をナビゲーション装置２３から入力される自車位置周辺の地図画像ｂ２（画像サイズ：６４０×４８０画素）に重畳した合成画像（図５（Ａ））を生成し（ステップＳ２５）、表示部２７（表示サイズ：６４０×４８０画素）に表示する（ステップＳ２７）。次に、ステップＳ２３において、画像データのビットレートが「ビットレート中」（画像データのビットレートが１５０ｋｂｐｓ以上３００ｋｂｐｓ未満であることと同等）と判定されれば、制御部１９は画像処理部１１に画像データａ３の画像サイズ（３２０×２４０画素）を１．５倍（画像サイズ：４８０×３６０画素）に拡大処理するように指示する。この指示により、画像処理部１１は画像データａ３の画像サイズを１．５倍に拡大処理して画像データａ４（図５（Ｂ））を生成する（ステップＳ２９）。そして、画像処理部１１は生成した画像データａ４を表示部２７に表示する（ステップＳ３１）。また、ステップＳ２３において、画像データのビットレートが「ビットレート大」（画像データのビットレートが３００ｋｂｐｓ以上であることと同等）と判定されれば、制御部１９は画像処理部１１に画像データａ３の画像サイズ（３２０×２４０画素）を２倍（画像サイズ：６４０×４８０画素）に拡大処理するように指示する。この指示により、画像処理部１１は画像データａ３の画像サイズを２倍に拡大処理して画像データａ５（図５（Ｃ））を生成する（ステップＳ３３）。そして、画像処理部１１は生成した画像データａ５を表示部２７に表示する（ステップＳ３５）。また、音声データは画像データと同期してスピーカ２５に出力される。なお、画像サイズの変更倍率は表示部２７の表示サイズを超えない範囲で適宜変更することができる。また、上記処理は放送波のチャンネルが変更される毎に繰り返し行われる。
上記処理により、デジタル放送画像のビットレートに応じて、画像サイズ変更倍率を可変することができ、視聴者にデジタル放送画像を最良の画像サイズで提供することができる。
【００２５】
・実施例２
実施例２のデジタル放送受信表示装置は、デジタル放送波を受信した際に、デジタル放送画像のビットレート及び電界強度を検出し、検出されたビットレート及び電界強度に基づいてデジタル放送画像の画像サイズを変更して表示するようにしたものである。
【００２６】
・実施例２に係るデジタル放送表示装置の構成
図６は、実施例２に係るデジタル放送表示装置の構成図である。なお、実施例２に係るデジタル放送表示装置の構成は、実施例１に係るデジタル放送表示装置の構成（図１）と同様であるが、ＯＦＤＭ復調処理部３がＯＦＤＭ信号から電界強度を検出して制御部１９に送ることが相違する。
【００２７】
・実施例２に係るデジタル放送表示装置の表示処理
実施例２に係るデジタル放送表示装置の第２表示処理は、デジタル放送波の画像データのビットレートが所定値以上である場合において、デジタル放送波の電界強度を「電界強度小」、「電界強度中」、「電界強度大」の３段階に分け、３段階に応じて画像データの拡大処理を変更するものである。
図７は、実施例２に係るデジタル放送表示装置の表示処理を示すフローチャートであり、図８は、実施例２に係るデジタル放送表示装置の表示処理による画像データ表示例である。
まず、デジタル放送表示装置は、上記第１表示処理のステップＳ１〜Ｓ３（図２）の処理を行い、デジタル放送波を音声データと画像データａ６とに分離して、画像データａ６のビットレートを検出する（ステップＳ４１）。そして、制御部１９は、画像データのビットレートが所定値（例えば２００ｋｂｐｓ）以上であるか判定する（ステップＳ４３）。ステップＳ４３において、画像データのビットレートが所定値未満であれば、制御部１９はナビゲーション装置２３に自車位置周辺の地図画像を生成して画像処理部１１に入力するように指示する。この指示により、ナビゲーション装置２３は自車位置周辺の地図画像ｂ３（画像サイズ：６４０×４８０画素）を生成して画像処理部１１に入力する。そして、画像処理部１１はビデオデコーダ９から入力される画像データａ６（画像サイズ：３２０×２４０画素）をナビゲーション装置２３から入力される自車位置周辺の地図画像ｂ３（画像サイズ：６４０×４８０画素）に重畳した合成画像（図８（Ａ））を生成し（ステップＳ４５）、表示部２７（表示サイズ：６４０×４８０画素）に表示する（ステップＳ４７）。一方、ステップＳ４３において、画像データのビットレートが所定値以上であれば、制御部１９は、ＯＦＤＭ復調処理部３からデジタル放送波の電界強度を受信し、受信した電界強度が「電界強度小」、「電界強度中」、「電界強度大」のいずれかをあるか判定する（ステップＳ４９）。ステップＳ４９において、電界強度が「電界強度小」と判定されれば、前述のステップＳ４５及びステップＳ４７の処理を行い、画像データａ６を地図画像ｂ３に重畳した合成画像を表示する。次に、ステップＳ４９において、電界強度が「電界強度中」と判定されれば、制御部１９は画像処理部１１に画像データａ６の画像サイズ（３２０×２４０画素）を１．５倍（画像サイズ：４８０×３６０画素）に拡大処理するように指示する。この指示により、画像処理部１１は画像データａ６の画像サイズを１．５倍に拡大処理して画像データａ７（図８（Ｂ））を生成する（ステップＳ５１）。そして、画像処理部１１は生成した画像データａ７を表示部２７に表示する（ステップＳ５３）。また、ステップＳ４９において、電界強度が「電界強度大」と判定されれば、制御部１９は画像処理部１１に画像データａ６の画像サイズ（３２０×２４０画素）を２倍（画像サイズ：６４０×４８０画素）に拡大処理するように指示する。この指示により、画像処理部１１は画像データａ６の画像サイズを２倍に拡大処理して画像データａ８（図８（Ｃ））を生成する（ステップＳ５５）。そして、画像処理部１１は生成した画像データａ８を表示部２７に表示する（ステップＳ５７）。また、音声データは画像データと同期してスピーカ２５に出力される。なお、画像サイズの変更倍率は表示部２７の表示サイズを超えない範囲で適宜変更することができる。また、ビットレート判定処理（ステップＳ４３）は、放送波のチャンネルが変更される毎に行われ、電界強度判定処理（ステップＳ４９）は、所定時間毎に繰り返し行われる。
上記処理により、デジタル放送画像のビットレートと電界強度に応じて、画像サイズ変更倍率を可変したため、デジタル放送画像のビットレートが小さいまたは電界強度が小さい場合において、画像サイズ変更による画質低下が生じないようにすることができ、視聴者にデジタル放送画像を最良の画像サイズで提供することができる。
【００２８】
上記実施例では、デジタル放送の画像サイズが３２０×２４０画素であり、表示部２７の表示サイズが６４０×４８０画素である場合としたが、本発明は、デジタル放送の画像サイズが表示部の表示サイズより小さければ適用可能である。また、上記実施例１においては、デジタル放送の画像データに限らず、ＤＶＤ等の画像データであっても適用可能である。
【００２９】
その他、デジタル放送表示装置の構成や制御手順等についても、特許請求の範囲に記載された本発明の要旨の範囲内において、種々の変形・変更が可能である。
【図面の簡単な説明】
【００３０】
【図１】実施例１に係るデジタル放送受信表示装置の構成図である。
【図２】実施例１に係るデジタル放送受信表示装置の第１表示処理を示すフローチャートである。
【図３】実施例１に係るデジタル放送受信表示装置の第１表示処理による画像データ表示例である。
【図４】実施例１に係るデジタル放送受信表示装置の第２表示処理を示すフローチャートである。
【図５】実施例１に係るデジタル放送受信表示装置の第２表示処理による画像データ表示例である。
【図６】実施例２に係るデジタル放送受信表示装置の構成図である。
【図７】実施例２に係るデジタル放送受信表示装置の表示処理を示すフローチャートである。
【図８】実施例２に係るデジタル放送受信表示装置の表示処理による画像データ表示例である。
【符号の説明】
【００３１】
１：ＲＦベースバンド処理部
３：ＯＦＤＭ復調処理部
５：ＴＳデコード処理部
９：ビデオデコーダ
１１：画像処理部
１９：制御部
２３：ナビゲーション装置
２７：表示部
【図１】
2008166968.tif 000003
【図２】
2008166968.tif 000004
【図３】
2008166968.tif 000005
【図４】
2008166968.tif 000006
【図５】
2008166968.tif 000007
【図６】
2008166968.tif 000008
【図７】
2008166968.tif 000009
【図８】
2008166968.tif 000010